(57)【要約】【課題】取得したメディアデータのうち、ＳＮＳ等のグループを形成するＷｅｂサイトに登録された多くのメディアデータの特徴に類似するメディアデータを自動的に抽出してアップロードすることが可能な携帯端末装置を提供する。【解決手段】特徴データ比較部２７にて、Ｗｅｂサイトに登録されている画像等のメディアデータの特徴データを該Ｗｅｂサーバから受け取って、受け取ったＷｅｂサイトのメディアデータの特徴データを、データ保存部２４に保存されている各メディアデータの特徴と順次比較して、該比較結果に基づいて、推定部２８にて、データ保存部２４の各メディアデータのうち、Ｗｅｂサイトに適すると推定される１ないし複数のメディアデータを、表示部２６ａに一覧表示して、Ｗｅｂサイトへアップロードするアップロード候補データとしてユーザに対して推薦し、その中からユーザが選択したメディアデータをＷｅｂサイトにアップロードして登録する。【選択図】        図３
2013196020.tif 000002
【特許請求の範囲】
【請求項１】
画像、動画、音声、テキストのいずれか１ないし複数の種類からなるメディアデータを任意の個数取得メディアデータとして取得して保存するデータ保存部を備え、該データ保存部に保存された前記取得メディアデータの中からいずれか１ないし複数個のメディアデータを、グルーピングされた集団からなるＷｅｂサイトを形成するＷｅｂサーバにアップロードする機能を備えた携帯端末装置であって、前記Ｗｅｂサイトに登録されているメディアデータの特徴データを前記Ｗｅｂサーバから受け取って、受け取った前記Ｗｅｂサイトのメディアデータの特徴データを、前記データ保存部に保存された各前記取得メディアデータの特徴データと順次比較する特徴データ比較部を備え、前記特徴データ比較部における比較結果に基づいて、前記データ保存部に保存された各前記取得メディアデータのうち、前記Ｗｅｂサイトに適すると推定される１ないし複数個のメディアデータを、前記Ｗｅｂサイトへアップロードするアップロード候補データとして抽出して、前記Ｗｅｂサイトを形成する前記Ｗｅｂサーバにネットワークを介してアップロードして前記Ｗｅｂサイトに登録することを特徴とする携帯端末装置。
【請求項２】
前記アップロード候補データとして抽出した１ないし複数のメディアデータのうち、前記Ｗｅｂサイトに登録されているメディアデータの特徴データとの類似度が高い順序が、あらかじめ定めたデータ個数の範囲内にあるメディアデータをアップロード対象データとしてさらに選択して、選択した該アップロード対象データを、前記Ｗｅｂサイトを形成する前記Ｗｅｂサーバにネットワークを介してアップロードして前記Ｗｅｂサイトに登録することを特徴とする請求項１に記載の携帯端末装置。
【請求項３】
前記アップロード候補データまたは前記アップロード対象データを、前記Ｗｅｂサイトを形成する前記Ｗｅｂサーバにアップロードする前に、前記アップロード候補データまたは前記アップロード対象データを表示部に一覧表示してユーザにアップロードすることを推薦し、前記アップロード候補データまたは前記アップロード対象データのうち、ユーザから指定されたメディアデータを、前記Ｗｅｂサイトを形成する前記Ｗｅｂサーバにネットワークを介してアップロードして前記Ｗｅｂサイトに登録することを特徴とする請求項１または２に記載の携帯端末装置。
【請求項４】
画像、動画、音声、テキストのいずれか１ないし複数の種類からなるメディアデータを、グルーピングされた集団からなるＷｅｂサイトに登録するデータ登録部を備えたＷｅｂサーバであって、前記Ｗｅｂサイトに登録された前記メディアデータの特徴データを生成する特徴データ生成部を備え、ネットワークを介して、前記Ｗｅｂサイトに参加するクライアントが所有する携帯端末装置から前記Ｗｅｂサイトへ前記メディアデータを登録するためのアクセスがあった際に、前記特徴データ生成部が生成した前記メディアデータの特徴データを、要求元の前記携帯端末装置に送信することを特徴とするＷｅｂサーバ。
【請求項５】
前記携帯端末装置から前記Ｗｅｂサイトへの前記メディアデータの登録を要求するアクセスがあった際に、前記メディアデータの特徴データを要求元の前記携帯端末装置に送信する代わりに、前記携帯端末装置に取得されて保存されている１ないし複数個の取得メディアデータを順次アップロードさせて、前記特徴データ生成部が生成した前記メディアデータの特徴データと順次比較し、比較結果に基づいて、前記携帯端末装置から順次アップロードした各前記取得メディアデータのうち、前記Ｗｅｂサイトに適すると推定される１ないし複数のメディアデータを、前記Ｗｅｂサイトへ登録するためのアップロード候補データとして抽出して、要求元の前記携帯端末装置に送信することを特徴とする請求項４に記載のＷｅｂサーバ。
【請求項６】
前記アップロード候補データのうち、前記携帯端末装置から前記Ｗｅｂサイトへの登録指示を受け取ったメディアデータを、前記データ登録部に登録することを請求項５に記載のＷｅｂサーバ。
【請求項７】
グルーピングされた集団からなるＷｅｂサイトを形成するＷｅｂサーバと、前記Ｗｅｂサイトに参加するクライアントが所有する携帯端末装置とがネットワークを介して接続され、前記Ｗｅｂサイトにアップロードする候補になるメディアデータを前記クライアントに対して推薦するメディアデータ推薦システムであって、前記携帯端末装置が請求項１ないし３のいずれかに記載の携帯端末装置によって構成され、前記Ｗｅｂサーバが請求項４ないし６のいずれかに記載のＷｅｂサーバによって構成されることを特徴とするメディアデータ推薦システム。
【請求項８】
画像、動画、音声、テキストのいずれか１ないし複数の種類からなるメディアデータを任意の個数取得メディアデータとして取得して保存するデータ保存部を備え、該データ保存部に保存された前記取得メディアデータの中からいずれか１ないし複数個のメディアデータを、グルーピングされた集団からなるＷｅｂサイトを形成するＷｅｂサーバにアップロードする機能を備えた携帯端末装置におけるメディアデータ推薦方法であって、前記Ｗｅｂサイトに登録されているメディアデータの特徴データを前記Ｗｅｂサーバから受け取って、受け取った前記Ｗｅｂサイトのメディアデータの特徴データを、前記データ保存部に保存された各前記取得メディアデータの特徴データと順次比較する特徴データ比較ステップを有し、前記特徴データ比較ステップにおける比較結果に基づいて、前記データ保存部に保存された各前記取得メディアデータのうち、前記Ｗｅｂサイトに適すると推定される１ないし複数個のメディアデータを、前記Ｗｅｂサイトへアップロードするアップロード候補データとして抽出して、前記Ｗｅｂサイトを形成する前記Ｗｅｂサーバにネットワークを介してアップロードして前記Ｗｅｂサイトに登録することを特徴とするメディアデータ推薦方法。
【請求項９】
前記アップロード候補データとして抽出した１ないし複数のメディアデータのうち、前記Ｗｅｂサイトに登録されているメディアデータの特徴データとの類似度が高い順序が、あらかじめ定めたデータ個数の範囲内にあるメディアデータをアップロード対象データとしてさらに選択して、選択した該アップロード対象データを、前記Ｗｅｂサイトを形成する前記Ｗｅｂサーバにネットワークを介してアップロードして前記Ｗｅｂサイトに登録することを特徴とする請求項８に記載のメディアデータ推薦方法。
【請求項１０】
請求項８または９に記載のメディアデータ推薦方法を、コンピュータによって実行可能なプログラムとして実施していることを特徴とするメディアデータ推薦プログラム。
【発明の詳細な説明】
【技術分野】
【０００１】
本発明は、携帯端末装置、Ｗｅｂサーバ、メディアデータ推薦システム、メディアデータ推薦方法およびメディアデータ推薦プログラムに関し、特に、携帯電話機、ＰＨＳ（Personal  Handyphone  System）端末、ＰＤＡ（Personal  Data  Assistance，Personal  Digital  Assistants：個人向け携帯型情報通信機器）、デジタルカメラ、モバイルノートＰＣ（Personal  Computer）等の携帯端末装置であって、カメラ機能やスキャナー機能や通信機能等を有する装置やＷｅｂサイトに登録されている画像等のメディアデータの特徴データに類似する画像等のメディアデータを抽出することが可能な装置に好適に適用することができる。
【背景技術】
【０００２】
特許文献１の特開２００６−０５３７５８号公報「画像分類装置および方法並びにプログラム」や特許文献２の特開２００６−１０１０９５号公報「イベント画像公開方法及びそのシステム」等に記載の従来技術においては、ユーザが携帯電話機、ＰＨＳ端末、ＰＤＡ等の携帯端末装置を用いて、ＳＮＳ（Social  Networking  Service）のコミュニティなどのような、グルーピングされた集団のＷｅｂサイトに対して、その集団の特徴に適した画像をアップロードするには、携帯端末装置内に保存した画像の中から、撮影されたシーンや日時・イベントなどを加味して、手動で適当な画像を選択しなければならず、画像が大量に存在する場合は、ユーザの作業負担が大きいという課題があった。
【０００３】
また、従来のフィルタリング機能についても、ポートレート／風景のような大体のシーンごとには分類することはできるものの、ユーザがアップロードしようとしているＷｅｂサイトに多く登録されている画像の特徴に類似する特徴を有している画像を判別できるような詳細な分類を行うことはできなかった。
【先行技術文献】
【特許文献】
【０００４】
【特許文献１】特開２００６−０５３７５８号公報（第４−５頁）
【特許文献２】特開２００６−１０１０９５号公報（第４−６頁）
【発明の開示】
【発明が解決しようとする課題】
【０００５】
以上のように、従来技術においては、ＳＮＳ（Social  Networking  Service）コミュニティなどのような、グルーピングされた集団のＷｅｂサイトに対して適切な画像等のメディアデータをアップロードしようとするとき、当該集団に適切な画像を抽出するためのフィルタリング技術が確立されていないので、ユーザが手動で該当する画像等のメディアデータを選択してアップロードすることが必要であり、ユーザの作業負担が大きくなるという問題があった。
【０００６】
（本発明の目的）
本発明は、前述のような事情に鑑みてなされたものであり、ＳＮＳ（Social  Networking  Service）などのような、グルーピングされた集団を形成するＷｅｂサイトに参加するユーザが取得したメディアデータのうち、該Ｗｅｂサイトに多く登録されているメディアデータの特徴に類似する特徴を有するメディアデータを自動的に抽出してアップロードすることが可能な携帯端末装置、Ｗｅｂサーバ、メディアデータ推薦システム、メディアデータ推薦方法およびメディアデータ推薦プログラムを提供することを、その目的としている。
【課題を解決するための手段】
【０００７】
前述の課題を解決するため、本発明による携帯端末装置、Ｗｅｂサーバ、メディアデータ推薦システム、メディアデータ推薦方法およびメディアデータ推薦プログラムは、主に、次のような特徴的な構成を採用している。
【０００８】
（１）本発明による携帯端末装置は、画像、動画、音声、テキストのいずれか１ないし複数の種類からなるメディアデータを任意の個数取得メディアデータとして取得して保存するデータ保存部を備え、該データ保存部に保存された前記取得メディアデータの中からいずれか１ないし複数個のメディアデータを、グルーピングされた集団からなるＷｅｂサイトを形成するＷｅｂサーバにアップロードする機能を備えた携帯端末装置であって、前記Ｗｅｂサイトに登録されているメディアデータの特徴データを前記Ｗｅｂサーバから受け取って、受け取った前記Ｗｅｂサイトのメディアデータの特徴データを、前記データ保存部に保存された各前記取得メディアデータの特徴データと順次比較する特徴データ比較部を備え、前記特徴データ比較部における比較結果に基づいて、前記データ保存部に保存された各前記取得メディアデータのうち、前記Ｗｅｂサイトに適すると推定される１ないし複数個のメディアデータを、前記Ｗｅｂサイトへアップロードするアップロード候補データとして抽出して、前記Ｗｅｂサイトを形成する前記Ｗｅｂサーバにネットワークを介してアップロードして前記Ｗｅｂサイトに登録することを特徴とする。
【０００９】
（２）本発明によるＷｅｂサーバは、画像、動画、音声、テキストのいずれか１ないし複数の種類からなるメディアデータを、グルーピングされた集団からなるＷｅｂサイトに登録するデータ登録部を備えたＷｅｂサーバであって、前記Ｗｅｂサイトに登録された前記メディアデータの特徴データを生成する特徴データ生成部を備え、ネットワークを介して、前記Ｗｅｂサイトに参加するクライアントが所有する携帯端末装置から前記Ｗｅｂサイトへ前記メディアデータを登録するためのアクセスがあった際に、前記特徴データ生成部が生成した前記メディアデータの特徴データを、要求元の前記携帯端末装置に送信することを特徴とする。
【００１０】
（３）本発明によるメディアデータ推薦システムは、グルーピングされた集団からなるＷｅｂサイトを形成するＷｅｂサーバと、前記Ｗｅｂサイトに参加するクライアントが所有する携帯端末装置とがネットワークを介して接続され、前記Ｗｅｂサイトにアップロードする候補になるメディアデータを前記クライアントに対して推薦するメディアデータ推薦システムであって、前記携帯端末装置が少なくとも前記（１）に記載の携帯端末装置によって構成され、前記Ｗｅｂサーバが少なくとも前記（２）に記載のＷｅｂサーバによって構成されることを特徴とする。
【００１１】
（４）本発明によるメディアデータ推薦方法は、画像、動画、音声、テキストのいずれか１ないし複数の種類からなるメディアデータを任意の個数取得メディアデータとして取得して保存するデータ保存部を備え、該データ保存部に保存された前記取得メディアデータの中からいずれか１ないし複数個のメディアデータを、グルーピングされた集団からなるＷｅｂサイトを形成するＷｅｂサーバにアップロードする機能を備えた携帯端末装置におけるメディアデータ推薦方法であって、前記Ｗｅｂサイトに登録されているメディアデータの特徴データを前記Ｗｅｂサーバから受け取って、受け取った前記Ｗｅｂサイトのメディアデータの特徴データを、前記データ保存部に保存された各前記取得メディアデータの特徴データと順次比較する特徴データ比較ステップを有し、前記特徴データ比較ステップにおける比較結果に基づいて、前記データ保存部に保存された各前記取得メディアデータのうち、前記Ｗｅｂサイトに適すると推定される１ないし複数個のメディアデータを、前記Ｗｅｂサイトへアップロードするアップロード候補データとして抽出して、前記Ｗｅｂサイトを形成する前記Ｗｅｂサーバにネットワークを介してアップロードして前記Ｗｅｂサイトに登録することを特徴とする。
【００１２】
（５）本発明によるメディアデータ推薦プログラムは、少なくとも前記（４）に記載のメディアデータ推薦方法を、コンピュータによって実行可能なプログラムとして実施していることを特徴とする。
【発明の効果】
【００１３】
本発明の携帯端末装置、Ｗｅｂサーバ、メディアデータ推薦システム、メディアデータ推薦方法およびメディアデータ推薦プログラムによれば、以下のような効果を奏することができる。
【００１４】
第１に、ＳＮＳのコミュニティ等のようなグルーピングされた集団を形成するＷｅｂサイトに、画像、動画、音声、テキスト等のメディアデータを携帯端末装置からアップロードする場面において、携帯端末装置内に保存している大量のメディアデータの中からＷｅｂサイトにアップロードすることに適するメディアデータを、ユーザが手動で選択する操作を省略することができるので、ユーザの作業負担を大幅に軽減することが可能である。
【００１５】
第２に、ユーザは、従来のＷｅｂブラウザ経由によるメディアデータのＷｅｂサイトへのアップロード作業に比べて、操作手順を省略することができ、ＰＣ（Personal  Computer）に比べて、キー操作が制限された携帯端末装置であっても、操作性を向上させることが可能になる。
【図面の簡単な説明】
【００１６】
【図１】本発明によるメディアデータ推薦システムのシステム構成の一例を説明するシステム構成図である。
【図２】図１に示すＷｅｂサーバの内部構成の要部の一例を示すブロック構成図である。
【図３】図１に示す携帯端末装置の内部構成の要部の一例を示すブロック構成図である。
【図４】図１に示すメディアデータ推薦システムのＷｅｂサーバと携帯端末装置との間で送受信される情報のやり取りの一例を示すシーケンスチャートである。
【図５】図１に示すＷｅｂサーバの動作の一例を説明するためのフローチャートである。
【図６】図１に示す携帯端末装置の動作の一例を説明するためのフローチャートである。
【発明を実施するための形態】
【００１７】
以下、本発明による携帯端末装置、Ｗｅｂサーバ、メディアデータ推薦システム、メディアデータ推薦方法およびメディアデータ推薦プログラムの好適な実施形態について添付図を参照して説明する。なお、以下の説明においては、本発明による携帯端末装置、Ｗｅｂサーバ、メディアデータ推薦システムおよびメディアデータ推薦方法について説明するが、かかるメディアデータ推薦方法をコンピュータにより実行可能なメディアデータ推薦プログラムとして実施するようにしても良いし、あるいは、メディアデータ推薦プログラムをコンピュータにより読み取り可能な記録媒体に記録するようにしても良いことは言うまでもない。
【００１８】
（本発明の特徴）
本発明の実施形態の説明に先立って、本発明の特徴についてその概要をまず説明する。本発明は、ＳＮＳ（Social  Networking  Service）コミュニティのような、グルーピングされた集団のＷｅｂサイトにアップロードされているメディアデータ（例えば画像）の特徴を判別して、当該Ｗｅｂサイトにクライアントとして参加するユーザにより取得されて、該ユーザの携帯端末装置内に保存されている取得メディアデータ（例えば取得画像）の中から、前記Ｗｅｂサイトにアップロードされているメディアデータ（例えば画像）の特徴と類似する特徴を有する取得メディアデータ（例えば取得画像）を抽出して、前記Ｗｅｂサイトにアップロードすることに適する取得メディアデータ（例えば取得画像）としてユーザに対して推薦することを可能にしていることを主要な特徴としている。
【００１９】
すなわち、本発明は、ＳＮＳのコミュニティのようなグルーピング機能を有するＷｅｂサイトに対して例えば画像をアップロードしようとする際に、アップロード先のＷｅｂサイトに既に登録されている画像から、当該画像の特徴データを作成し、ユーザが所有する携帯電話機やＰＨＳ端末、ＰＤＡ機器、ノートＰＣのような携帯端末装置内に取得して保存されている取得画像の特徴データと比較することによって、携帯端末装置内の取得画像の中からアップロード先のＷｅｂサイトに適した取得画像を、ユーザに対して推薦したり、あるいは、Ｗｅｂサイトに自動的にアップロードしたりする仕組みを提供することを特徴としている。
【００２０】
（実施形態の構成例）
次に、本発明によるメディアデータ推薦システムのシステム構成について、図１を用いて説明する。図１は、本発明によるメディアデータ推薦システムのシステム構成の一例を説明するシステム構成図である。図１に示すように、メディアデータ推薦システムは、ＳＮＳのコミュニティのような集団のＷｅｂサイトを形成するＷｅｂサーバ１とユーザが所有する携帯端末装置２とが、インターネットのようなネットワーク３を介して接続された構成からなっている。
【００２１】
図１に示すＷｅｂサーバ１は、例えばＳＮＳのように、登録されたユーザ（クライアント）の集団のコミュニケーションを活発に行うことが可能なサービスを提供するＷｅｂサイトを形成しており、各ユーザは、所有している携帯端末装置２を用いて、画像や音声、テキスト、メール等の各種のメディアに関するメディアデータを取得メディアデータとして取得してアップロードしたり、メール交換したり、あるいは、他のユーザのメディアデータを閲覧したり、ダウンロードしたりすることによって、互いの情報交換を行い、コミュニケーションを図ることができる。
【００２２】
携帯端末装置２は、Ｗｅｂサーバ１にネットワーク３を介してアクセスすることができる通信手段を備えるとともに、画像や音声、テキスト、メール等の各種メディアデータを作成したり、取得したり、表示したり、保存したりすることができる機能を備えており、内部に取得メディアデータとして保存しているメディアデータをＷｅｂサーバ１に対してアップロードしたり、メールに添付して、知り合いのユーザが所有する携帯端末装置に送信したりすることができ、逆に、Ｗｅｂサーバ１のメディアデータをダウンロードして画面表示させたり、知り合いのユーザの携帯端末装置から送信されてきたメディアデータを受信したりすることができる。
【００２３】
次に、図１に示したＷｅｂサーバ１の内部構成について説明する。図２は、図１に示すＷｅｂサーバ１の内部構成の要部の一例を示すブロック構成図であり、グルーピングされた集団のコミュニケーションを図るための例えばＳＮＳコミュニティのようなサービスを提供するＷｅｂサイトを形成している。
【００２４】
図２に示すＷｅｂサーバ１は、送受信制御部１１、Ｗｅｂ処理部１２、データ登録部１３、特徴データ生成部１４を少なくとも含んで構成されている。
【００２５】
送受信制御部１１は、インターネット等のネットワーク３に接続して、クライアント側の携帯端末装置２等との間で各種のメディアデータや制御情報の送受信を行うブロックである。Ｗｅｂ処理部１２は、クライアント側の携帯端末装置２との間の接続管理、グループ管理、Ｗｅｂページ制御、送受信制御部１１を介して送受信するメディアデータに関する処理などを行うアプリケーションである。
【００２６】
また、データ登録部１３は、クライアント側の携帯端末装置２からアップロードされてきた画像や動画、音声、テキスト、メール等の各種のメディアデータを登録するブロックである。特徴データ生成部１４は、データ登録部１３に登録されているメディアデータの特徴を抽出して、特徴データを生成し、Ｗｅｂ処理部１２、送受信制御部１１を介して、クライアント側の携帯端末装置２に送信するアプリケーションである。
【００２７】
次に、図１に示した携帯端末装置２の内部構成について説明する。図３は、図１に示す携帯端末装置２の内部構成の要部の一例を示すブロック構成図であり、グルーピングされた集団のコミュニケーションを図るサービスを提供するＷｅｂサーバ１にアクセスして、当該携帯端末装置２内に取得メディアデータとして取得して保存されているメディアデータの中から、Ｗｅｂサイトにアップロードすることに適するメディアデータを抽出して、アップロードする機能を備え、かつ、Ｗｅｂサイトが提供する集団のコミュニケーションサービスを享受することができる機能を備えている。
【００２８】
図３に示す携帯端末装置２は、送受信制御部２１、ブラウザアプリ２２、メディアデータ取得部２３、データ保存部２４、ビューアアプリ２５、表示制御部２６、特徴データ比較部２７、推定部２８を少なくとも含んで構成されている。
【００２９】
送受信制御部２１は、インターネット等のネットワーク３にアンテナ２１ａを介して無線接続して、Ｗｅｂサーバ１等との間で各種のメディアデータや制御情報の送受信を行うブロックである。ブラウザアプリ２２は、Ｗｅｂサーバ１との間のＷｅｂ処理を行い、Ｗｅｂサーバ１からの情報を受け取ったり、Ｗｅｂサーバ１のＷｅｂサイトに登録されているメディアデータ等を表示するための処理を行ったり、Ｗｅｂサーバ１のＷｅｂサイトへメディアデータをアップロードしたりするためのアプリケーションである。
【００３０】
また、メディアデータ取得部２３は、カメラで撮像した画像や動画、スキャナーから読み込んだ画像やテキスト、マイクから取り込んだ音声やキーボード等の文字入力装置からのテキスト等のメディアデータ、あるいは、インターネット等のネットワーク３を介してダウンロードされたメディアデータを取得メディアデータとして取得するブロックである。データ保存部２４は、メディアデータ取得部２３によって取得した画像や音声、テキスト、メール等の各種の取得メディアデータを保存するブロックである。ビューアアプリ２５は、データ保存部２４に保存されている取得メディアデータやＷｅｂサイトからのメディアデータ等を画面表示するためのソフトウェアを制御するブロックである。表示制御部２６は、液晶ディスプレイ等の表示部２６ａの表示動作を制御する制御ブロックである。
【００３１】
また、特徴データ比較部２７は、データ保存部２４に保存されている各取得メディアデータの特徴データを、順番に、ブラウザアプリ２２によってＷｅｂサーバ１から受け取ったＷｅｂサイトのメディアデータの特徴データと比較していき、比較した結果を推定部２８に対して出力するアプリケーションである。例えば、メディアデータが画像の場合、特徴データ比較部２７は、取得画像およびＷｅｂサイトの画像に写っている被写体や撮影シーンに関する特徴を比較して、両者の画像の類似度を示す特徴量を比較結果として出力する。
【００３２】
また、推定部２８は、特徴データ比較部２７から出力される比較結果に基づいて、Ｗｅｂサイトに登録済みのメディアデータの特徴データと類似する特徴を有する取得メディアデータを抽出して、Ｗｅｂサーバ１のグルーピングされた集団のＷｅｂサイトにアップロードすることに適したメディアデータとして推定するアプリケーションである。
【００３３】
（実施形態の動作の説明）
次に、図１ないし図３に示したメディアデータ推薦システムの動作について、その一例を説明する。図４は、図１に示すメディアデータ推薦システムのＷｅｂサーバ１と携帯端末装置２との間で送受信される情報のやり取りの一例を示すシーケンスチャートであり、ＳＮＳ等のコミュニティのようなグルーピングされた集団のＷｅｂサイトを形成するＷｅｂサーバ１とクライアント側の携帯端末装置２との間の情報の送受信シーケンスの一例を示している。なお、以降の本実施形態の説明においては、アップロード対象のメディアデータとして画像を用いる場合について説明することにするが、画像以外の動画や音声、テキストデータ等の場合であっても全く同様に扱うことができることは言うまでもない。
【００３４】
図４のシーケンスチャートに示すように、携帯端末装置２のデータ保存部２４には、当該携帯端末装置２のカメラ等によって取得した取得メディアデータとして、Ａ．ｊｐｇ、Ｂ．ｊｐｇ、Ｃ．ｊｐｇ、…等の画像データがあらかじめ保存されている状態にあるものとする。
【００３５】
携帯端末装置２を所有するクライアントが、Ｗｅｂサーバ１のＷｅｂサイトにアップロードするメディアデータとして画像を選択して、Ｗｅｂサイトへの登録を要求するためのアクセスを携帯端末装置２からＷｅｂサーバ１に対してネットワーク３を介して行うと（シーケンスＳｅｑ１）、Ｗｅｂサーバ１のＷｅｂサイトは、特徴データ生成部１４によって、当該Ｗｅｂサイト内のデータ登録部１３に登録されている画像データに関する特徴データを生成して、要求元の携帯端末装置２に対してネットワーク３を介して返送する（シーケンスＳｅｑ２）。
【００３６】
携帯端末装置２は、Ｗｅｂサーバ１から返送されてきたＷｅｂサイト側の特徴データを受け取ると、特徴データ比較部２７によって、Ｗｅｂサイト側の特徴データと携帯端末装置２内のデータ保存部２４に取得メディアデータとして保存されている画像データの特徴データとを順次比較していき、比較結果を推定部２８に対して出力する（シーケンスＳｅｑ３）。
【００３７】
推定部２８は、特徴データ比較部２７から出力されてきた比較結果に基づいて、データ保存部２４に取得メディアデータとして保存されている画像データの中から、Ｗｅｂサーバ１のグルーピングされた集団のＷｅｂサイトにアップロードすることに適した画像を１ないし複数個推定し、推定した画像データ例えばＡ．ｊｐｇ、Ｃ．ｊｐｇ、…等を、Ｗｅｂサイトへのアップロードする画像の候補として列挙して、表示部２６ａに一覧表示して、当該携帯端末装置２のクライアント（ユーザ）に対して推薦する（シーケンスＳｅｑ４）。
【００３８】
表示部２６ａに一覧表示されたアップロード画像候補を視認したクライアント（ユーザ）が、アップロード画像候補の中からいずれか１ないし複数個の画像データを、Ｗｅｂサイトにアップロードすることに適した画像として選択して、アップロードの指示を行うと、当該携帯端末装置２は、選択された１ないし複数個の画像データを、ブラウザアプリ２２、送受信制御部２１によって、ネットワーク３を介して、Ｗｅｂサーバ１へアップロードし、Ｗｅｂサイトに登録する（シーケンスＳｅｑ５）。
【００３９】
次に、図４のシーケンスチャートに示すような動作を行うＷｅｂサーバ１側の動作について、図５のフローチャートを用いてさらに説明する。図５は、図１に示すＷｅｂサーバ１の動作の一例を説明するためのフローチャートである。
【００４０】
図５のフローチャートにおいて、Ｗｅｂサーバ１は、クライアント側の携帯端末装置２からのアクセスが受信されるまで待機状態にあり（ステップＳ１のＮｏ）、携帯端末装置２からのアクセスを受け取ると（ステップＳ１のＹｅｓ）、当該アクセスの送信元の携帯端末装置２のクライアントが所属する集団（グループ）に既に登録されている画像データをデータ登録部１３から取得して、取得した画像データに関する特徴データを特徴データ生成部１４によって生成する（ステップＳ２）。
【００４１】
しかる後、生成された特徴データを、Ｗｅｂ処理部１２および送受信制御部１１により、アクセス送信元のクライアント側の携帯端末装置２に対して送信した後（ステップＳ３）。クライアント側の携帯端末装置２において選択した画像データがアップロードされてくるまで待機する（ステップＳ４）。
【００４２】
クライアント側の携帯端末装置２からアップロードされてきた画像データを送受信制御部１１およびＷｅｂ処理部１２により受信すると（ステップＳ５）、受信した画像データを、Ｗｅｂサイトにおける当該クライアントの画像データとしてデータ登録部１３に登録する（ステップＳ６）。
【００４３】
次に、図４のシーケンスチャートに示すような動作を行う携帯端末装置２側の動作について、図６のフローチャートを用いてさらに説明する。図６は、図１に示す携帯端末装置２の動作の一例を説明するためのフローチャートである。
【００４４】
図６のフローチャートにおいて、携帯端末装置２の所有者であるクライアント（ユーザ）から、Ｗｅｂサーバ１の集団（グループ）を構成するＷｅｂサイトへの登録用のメディアデータとして、画像データをアップロードする指示が入力されると、携帯端末装置２は、まず、ブラウザアプリ２２および送受信制御部２１により、Ｗｅｂサーバ１の当該Ｗｅｂサイトに既に登録されている画像データの特徴データを取得するためのアクセスを、Ｗｅｂサーバ１に対して行う（ステップＳ２１）。
【００４５】
しかる後に、Ｗｅｂサーバ１からＷｅｂサイトの画像データの特徴データが送信されてくると（ステップＳ２２）、携帯端末装置２は、特徴データ比較部２７により、Ｗｅｂサイトの画像データの特徴データを、データ保存部２４に取得メディアデータとして保存されている画像データの特徴データと順次比較して、比較結果を推定部２８に対して出力する（ステップＳ２３）。
【００４６】
推定部２８は、まず、比較結果として、１つ以上の比較結果が出力されてきたか否かを判定し（ステップＳ２４）、比較結果が全くなかった場合には（ステップＳ２４のＮｏ）、Ｗｅｂサイトへのアップロード候補とすべき画像が存在していない旨を表示部２６ａに表示して、クライアント（ユーザ）に注意を喚起する。
【００４７】
一方、比較結果が１つ以上存在していた場合には（ステップＳ２４のＹｅｓ）、推定部２８は、比較結果に基づいて、データ保存部２４に取得メディアデータとして保存されている画像データの中から、Ｗｅｂサーバ１のＷｅｂサイトにアップロードすることに適した１ないし複数個の画像をアップロード候補画像として推定し（ステップＳ２５）、推定した結果を表示部２６ａに一覧表示して、Ｗｅｂサイトへのアップロード候補の画像として当該携帯端末装置２のクライアント（ユーザ）に対して推薦する（ステップＳ２６）。
【００４８】
表示部２６ａに一覧表示されたアップロード候補画像を視認したクライアント（ユーザ）は、アップロード候補画像の中からいずれか１ないし複数個の画像を、Ｗｅｂサイトにアップロードする画像すなわちアップロード対象画像として選択して、アップロードの指示を行うと（ステップＳ２７）、携帯端末装置２は、アップロード対象画像として選択された１ないし複数個の画像データを、ブラウザアプリ２２、送受信制御部２１によって、Ｗｅｂサーバ１へアップロードして、Ｗｅｂサイトへ登録させる処理を行う（ステップＳ２８）。
【００４９】
なお、以上の動作においては、推定部２８によって推定されたアップロード候補画像を、表示部２６ａに一覧表示して、クライアント（ユーザ）によってアップロードすべき画像データをアップロード対象画像として選択する動作を行う場合について説明したが、場合によっては、アップロード候補画像を表示部２６ａに表示することなく、Ｗｅｂサイトに登録されている画像データの特徴との類似度が高く、アップロード候補画像としての順位が高い画像データを、あらかじめ定めたデータ個数の範囲内で、アップロード対象データとして、自動的に選択して、Ｗｅｂサーバ１のＷｅｂサイトへアップロードするようにしても良い。
【００５０】
また、前述したように、アップロードの対象とするメディアデータとして、画像ではなく、動画データ、音声データ、テキストデータ等であっても全く同様に動作させることが可能である。さらに、集団（コミュニティ）を形成するＷｅｂサイトに登録されているメディアデータ（例えば画像データ）に対する評判情報（噂情報）をも併用することによって、特徴データのみに基づいて比較を行った場合よりも、アップロード先のＷｅｂサイトにより適したメディアデータ（例えば画像データ）を推薦するようにしても良い。すなわち、例えばアップロードするメディアデータとして画像データを選ぶ場合、被写体や撮影シーンの特徴に基づく判定結果のみならず、Ｗｅｂサイトから送信されてきた評判情報（噂情報）をさらに用いて、アップロード候補画像としての順位付けを行うようにしても良い。
【００５１】
また、以上の実施形態においては、携帯端末装置２側に特徴データ比較部２７および推定部２８を配置して、携帯端末装置２において、メディアデータの特徴データの比較処理を行っている例を示したが、Ｗｅｂサーバ１側に特徴データ比較部２７および推定部２８を配置して、Ｗｅｂサーバ１側でメディアデータの特徴データの比較処理を行っても良い。なお、かかる場合には、携帯端末装置２内に取得メディアデータとして保存されているメディアデータを順次アップロードして一時的に保存する仮データ保存部をＷｅｂサーバ１に具備させることが必要である。
【００５２】
また、Ｗｅｂサーバ１側に配置した推定部２８において、アップロード候補データとして抽出した１ないし複数個の取得メディアデータを、そのまま、Ｗｅｂサイトのデータ登録部１３に登録しても良いし、該アップロード候補データの中から、Ｗｅｂサイトのデータ登録部１３に既に登録済みのメディアデータとの類似度が高いものをあらかじめ定めたデータ個数の範囲内で選択して、Ｗｅｂサイトのデータ登録部１３に登録しても良い。さらには、Ｗｅｂサーバ１側で抽出したアップロード候補データを、アップロード要求元の携帯端末装置２に一旦送信して、該携帯端末装置２側からＷｅｂサイトへの登録指示があったメディアデータを、Ｗｅｂサイトのデータ登録部１３に登録するようにしても良い。
【００５３】
（実施形態の効果の説明）
以上に詳細に説明したように、本実施形態においては、次のような効果が得られる。
【００５４】
第１に、ＳＮＳのコミュニティ等のようなグルーピングされた集団を形成するＷｅｂサイトに、画像、動画、音声、テキスト等のメディアデータを携帯端末装置からアップロードする場面において、携帯端末装置内に保存している大量のメディアデータの中からＷｅｂサイトにアップロードすることに適するメディアデータを、ユーザが手動で選択する操作を省略することができるので、ユーザの作業負担を大幅に軽減することが可能である。
【００５５】
第２に、ユーザは、従来のＷｅｂブラウザ経由によるメディアデータのＷｅｂサイトへのアップロード作業に比べて、操作手順を省略することができ、ＰＣ（Personal  Computer）に比べて、キー操作が制限された携帯端末装置であっても、操作性を向上させることが可能になる。
【００５６】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５７】
１        Ｗｅｂサーバ
２        携帯端末装置
３        ネットワーク
１１      送受信制御部
１２      Ｗｅｂ処理部
１３      データ登録部
１４      特徴データ生成部
２１      送受信制御部
２１ａ    アンテナ
２２      ブラウザアプリ
２３      メディアデータ取得部
２４      データ保存部
２５      ビューアアプリ
２６      表示制御部
２６ａ    表示部
２７      特徴データ比較部
２８      推定部
【図１】
2013196020.tif 000003
【図２】
2013196020.tif 000004
【図３】
2013196020.tif 000005
【図４】
2013196020.tif 000006
【図５】
2013196020.tif 000007
【図６】
2013196020.tif 000008